(57)【要約】      （修正有）【課題】既存のスピーカーを利用して、音質や音像にすぐれ、しかも安価で、より音質改善ができるスピーカー構造を提供する。【解決手段】コーンスピーカーやホーンスピーカー等のスピーカー本体の前面に、所定の距離αを隔てて球体２を設ける。スピーカー本体のエッジ１ａと球体との距離αが１〜３ｃｍであり、また、コーンスピーカー本体１′の径Ａに対する球体の径Ｂの割合が、０．３７〜０．４１である。ホーンスピーカーにおいては、本体の径に対する球体の径の割合を、０．２７〜０．３１とする。スピーカーの前面に球体を設けることにより、音の拡散が防止され、音質や音像がはっきりし、メリハリのあるライブ感が得られる。【選択図】図１
0003187158.tif 000002
【実用新案登録請求の範囲】
【請求項１】
コーンスピーカー（１′）やホーンスピーカー（１″）等のスピーカー本体（１）の前面に、所定の距離（α）を隔てて球体（２）を設けたことを特徴とするスピーカー構造。  
【請求項２】
スピーカー本体（１）のエッジ（１ａ）と球体（２）との距離寸法（α）が１〜３ｃｍであることを特徴とする請求項１記載のスピーカー構造。
【請求項３】
コーンスピーカー（１′）の径（Ａ）と球体（２）の径（Ｂ）との割合が、前記径（Ａ）１に対して前記径（Ｂ）が、０．３７〜０．４１であることを特徴とする請求項１記載のスピーカー構造。
【請求項４】
ホーンスピーカー本体（１″）の径（Ａ）と球体（２）の径（Ｂ）との割合が、前記径（Ａ）１に対して前記径（Ｂ）が、０．２７〜０．３１であることを特徴とする請求項１記載のスピーカー構造。
【考案の詳細な説明】
【技術分野】
【０００１】
この考案は、スピーカー構造に関するものであり、特に、サウンドスピーカー構造に関するものである。
【背景技術】
【０００２】
従来、スピーカー（Speaker）とは、音声や楽器音などの自然音をマイクロホンで変換した電気信号を、再び元の音波として再生することを目的とする機器である。
【０００３】
従って、スピーカーは、肉声や音楽をその場で大音響にして遠くまで伝える「拡声器」（メガホン、ウェラアブルスピーカー）、携帯電話やラジオ・テレビ受信機、そして、音楽などをより原音に忠実な音で再生するための高級オーディオ機器に至るまで様々な音響製品に組み込まれ、それぞれの目的に応じた多くの形式が存在している。
【０００４】
何れも、入力された電気信号の波形を忠実に音の波形へ変換する必要性から、生成される音に歪みや雑音などが加わらないように設計されるものである。
【０００５】
そして、音響設備で使用するスピーカーも、種々存在するが、いずれも、より良い音を求めて開発されており、音の良さとは、電気信号を物理振動に替えて、音楽や音声などの音を生み出す機械であることには間違いないものである。
【０００６】
理想的なスピーカーに求められる性能としては、原音に忠実で歪みがないこと、点音源であること、全ての方向に同一の音圧、同一の音質で音を放射すること等が挙げられる。  これを実現するため、振動板の形状や大きさ、取り付け方法が工夫されている。
【０００７】
振動板の形状としては、低音用にはコーン型（くぼんだ円錐形）、高音用にはコーン型やドーム型（ふくらんだ半球形）が主流である。尚、大きなコーン型振動板の中央に小さいコーン型振動板を取り付けることで広い帯域の再生を狙ったダブルコーン型もある。
【０００８】
このため、振動波形（音）を効率よく生成するため、一対のシートと、その間に挟まれ、中空部を密封されるように接着された中空ハニカム構造のハニカムコアとを備えたスピーカー用振動板であって、該スピーカー用振動板に対して曲げ応力が負荷されたスピーカー振動板が開示されている。例えば、特許文献１のように。
【先行技術文献】
【特許文献】
【０００９】
【特許文献１】特開２０１０−１７１９２７号公報
【００１０】
しかしながら、この技術は当初からスピーカー振動板を作成する必要があり、既存のスピーカーを利用して行なうものではなく、新たに作成する必要があり、経費もかかりしかもコスト高となるものであった。
【考案の概要】
【考案が解決しようとする課題】
【００１１】
そこで、この考案の課題は、既存のスピーカーを利用して、音質や音像にすぐれ、しかも安価で、より音質改善ができるスピーカー構造を開発・提供することにある。
【課題を解決するための手段】
【００１２】
そこで、この考案は、上記の課題を解決すべく、鋭意研究を重ねた結果、既存のスピーカー本体の前面に、所定の距離を隔てて球体を設けたスピーカー構造である。
【考案の効果】
【００１３】
この考案によると、既存のスピーカーの前面に球体を設けることにより、音の拡散を防止し、音を一点に集めることにより、密度の濃い音を出すことができ、音質や音像がはっきりし、メリハリのあるライブ感が得られ、しかも安価に作成できる等極めて優れた効果を奏するものである。
【図面の簡単な説明】
【００１４】
【図１】この考案に使用するコーンスピーカーの一実施例を示し、（Ａ）は、平面図、（Ｂ）は、正面図である。
【図２】この考案に使用するコーンスピーカーの一実施例を示す説明図である。
【図３】この考案に使用するホーンスピーカーの一実施例を示し、（Ａ）は、平面図、（Ｂ）は、正面図である。
【図４】この考案に使用するホーンスピーカーの一実施例を示す説明図である。
【考案を実施するための形態】
【００１５】
以下、この考案について詳細に説明する。なお、この考案においては、以下の記述に限定されるものではなく、この考案の要旨を逸脱しない範囲においては適宜変更可能である。
【実施例】
【００１６】
次に、この考案の一実施例を図面に基づいて詳述すると、コーンスピーカーやホーンスピーカー等のスピーカー本体（１）の前面に、所定の距離（α）を隔てて球体（２）を設けたことを特徴とするスピーカー構造から構成されるものである。
【００１７】
尚、球体（２）のスピーカー本体（１）への固定の一例としては、針金等の固定手段（３）を用いている。
【００１８】
また、球体（２）の素材は、プラスチック、ゴム、非鉄金属（例えば、アルミニュウム）等の素材が最適である。
【００１９】
また、図１（Ａ），（Ｂ）は、パルプや化学繊維等の素材で円錐形の振動板で音を出すコーンスピーカー（１′）であり、図２（Ａ），（Ｂ）は、ホーンスピーカー（１″）である。
【００２０】
そして、スピーカー本体（１）のエッジ（１ａ）と球体（２）との距離寸法（α）は、スピーカーの質や大きさによるが、１〜３ｃｍの範囲内であることが最適である。
【００２１】
尚、図２および図４に記載の点線の矢印は、振動波の移動方向を示すものである。
【００２２】
【表１】
0003187158.tif 000003
【００２３】
さらに、コーンスピーカーにおいては、スピーカー本体（１′）の径（Ａ）と、球体（２）の径（Ｂ）との割合が、前記径（Ａ）１に対し、前記径（Ｂ）が、０．３７〜０．４１であることが望ましい。
【００２４】
また、ホーンスピーカーにおいては、スピーカー本体（１″）の径（Ａ）と、ボール径（Ｂ）との割合が、前記径（Ａ）１に対し、前記径（Ｂ）が０．２７〜０．３１であり、約、０．３であることが望ましい。
【産業上の利用可能性】
【００２５】
この考案のスピーカー構造の技術を確立し、実施することにより、産業上利用できるものである。
【符号の説明】
【００２６】
１  スピーカー本体
１′  コーンスピーカー
１″  ホーンスピーカー
１ａ  スピーカーのエッジ
２  球体
３  固定手段
α  寸法
【図１】
0003187158.tif 000004
【図２】
0003187158.tif 000005
【図３】
0003187158.tif 000006
【図４】
0003187158.tif 000007
【手続補正書】
【提出日】平成25年9月5日(2013.9.5)
【手続補正１】
【補正対象書類名】実用新案登録請求の範囲
【補正対象項目名】全文
【補正方法】変更
【補正の内容】
【実用新案登録請求の範囲】
【請求項１】
コーンスピーカー（１′）やホーンスピーカー（１″）からなるスピーカー本体の前面に、所定の距離（α）を隔てて球体（２）を設けたことを特徴とするスピーカー構造。
【請求項２】
スピーカー本体のエッジ（１ａ）と球体（２）との距離（α）寸法が１〜３ｃｍであることを特徴とする請求項１記載のスピーカー構造。
【請求項３】
コーンスピーカー（１′）の径（Ａ）と球体（２）の径（Ｂ）との割合が、前記径（Ａ）１に対して前記径（Ｂ）が、０．３７〜０．４１であることを特徴とする請求項１記載のスピーカー構造。
【請求項４】
ホーンスピーカー（１″）の径（Ａ）と球体（２）の径（Ｂ）との割合が、前記径（Ａ）１に対して前記径（Ｂ）が、０．２７〜０．３１であることを特徴とする請求項１記載のスピーカー構造。
【手続補正２】
【補正対象書類名】明細書
【補正対象項目名】００１６
【補正方法】変更
【補正の内容】
【００１６】
次に、この考案の一実施例を図面に基づいて詳述すると、コーンスピーカー（１′）やホーンスピーカー（１″）からなるスピーカー本体の前面に、所定の距離（α）を隔てて球体（２）を設けたことを特徴とするスピーカー構造から構成されるものである。
【手続補正３】
【補正対象書類名】明細書
【補正対象項目名】００１７
【補正方法】変更
【補正の内容】
【００１７】
尚、球体（２）のスピーカー本体への固定の一例としては、針金等の固定手段（３）を用いている。
【手続補正４】
【補正対象書類名】明細書
【補正対象項目名】００２０
【補正方法】変更
【補正の内容】
【００２０】
そして、スピーカー本体のエッジ（１ａ）と球体（２）との距離（α）寸法は、スピーカーの質や大きさによるが、１〜３ｃｍの範囲内であることが最適である。
【手続補正５】
【補正対象書類名】明細書
【補正対象項目名】００２２
【補正方法】変更
【補正の内容】
【００２２】
【表１】
0003187158.tif 000008
【手続補正６】
【補正対象書類名】明細書
【補正対象項目名】００２３
【補正方法】変更
【補正の内容】
【００２３】
さらに、コーンスピーカーにおいては、該コーンスピーカー（１′）の径（Ａ）と、球体（２）の径（Ｂ）との割合が、前記径（Ａ）１に対し、前記径（Ｂ）が、０．３７〜０．４１であることが望ましい。
【手続補正７】
【補正対象書類名】明細書
【補正対象項目名】００２４
【補正方法】変更
【補正の内容】
【００２４】
また、ホーンスピーカーにおいては、該ホーンスピーカー（１″）の径（Ａ）と、ボール径（Ｂ）との割合が、前記径（Ａ）１に対し、前記径（Ｂ）が０．２７〜０．３１であり、約、０．３であることが望ましい。
【手続補正８】
【補正対象書類名】明細書
【補正対象項目名】００２６
【補正方法】変更
【補正の内容】
【００２６】
１′  コーンスピーカー
１″  ホーンスピーカー
１ａ  スピーカーのエッジ
２  球体
３  固定手段
α  距離